(57)【要約】【課題】生じた事象に対応することができるユーザに対して、該事象が生じた旨の通知を送信できる電子機器を実現する。【解決手段】所定の事象を検知するセンサから検知信号を受信する検知信号受信部（５１１）と、検知信号を送信したセンサに対応している連絡先機器に対して、該所定の事象に関する通知を行う通知音声生成部（５１３）とを備えている電子機器。【選択図】図１
2019050493.tif 000002
【特許請求の範囲】
【請求項１】
検知部により所定の事象が検知された旨を外部の機器に通知する電子機器であって、
上記所定の事象は、複数の異なる検知部により検知された事象のいずれかであり、上記所定の事象を検知した検知部から検知信号を受信する検知信号受信部と、
上記検知信号受信部が所定の事象に対する上記検知信号を受信した場合、上記検知部に対応している連絡先機器に対して、上記所定の事象に関する通知を行う通知部とを備えていることを特徴とする電子機器。
【請求項２】
上記検知信号受信部が複数の検知部から検知信号を受信すると、
上記通知部は、上記検知信号の送信元である複数の検知部のうち優先度が最も高く設定されている第１検知部に対応している連絡先機器に対して、上記第１検知部によって検知された所定の事象に関する通知、および、上記複数の検知部のうち上記第１検知部と関連付けられている第２検知部によって検知された所定の事象に関する通知を行うことを特徴とする請求項１に記載の電子機器。
【請求項３】
上記第１検知部に対応している連絡先機器が上記第２検知部にも対応している場合、上記通知部は、当該第２検知部を上記第１検知部と関連付けられているとすることを特徴とする請求項２に記載の電子機器。
【請求項４】
上記通知を行った上記連絡先機器から応答を受信する応答受信部を備えており、
上記応答受信部が上記連絡先機器である第１連絡先機器から上記応答を受信しなかった場合、上記通知部は、上記所定の事象を検知した検知部とは異なる他の検知部に対応した連絡先機器のうちの、所定の条件を満たす第２連絡先機器に対して、上記第１連絡先機器に対して行った通知と同じ通知を行うことを特徴とする請求項１に記載の電子機器。
【請求項５】
上記第２連絡先機器は、上記他の検知部のうち、対応している複数の連絡先機器のいずれかが上記第１連絡先機器である検知部に対応している連絡先機器であることを特徴とする請求項４に記載の電子機器。
【請求項６】
上記第２連絡先機器は、上記他の検知部に対応している連絡先機器のうち、上記電子機器の所在地の市外局番または上記第１連絡先機器と同じ市外局番を有する連絡先機器であることを特徴とする請求項４または５に記載の電子機器。
【請求項７】
上記検知信号受信部が複数の検知部のうちの第１検知部から検知信号を受信すると、
上記通知部は、上記第１検知部によって検知された所定の事象に関する通知、および、上記第１検知部とは異なる他の検知部のうちの、所定の条件を満たす第２検知部の検知の対象である所定の事象に関する通知を、上記第１検知部に対応している第１連絡先機器に対して行うことを特徴とする請求項１に記載の電子機器。
【請求項８】
上記第２検知部によって検知された所定の事象に関する通知は、上記検知信号受信部が上記第１検知部から検知信号を受信する前に、上記第２検知部によって検知された情報を含むことを特徴とする請求項７に記載の電子機器。
【請求項９】
上記第２検知部によって検知された所定の事象に関する通知は、上記検知信号受信部が上記第１検知部から検知信号を受信した後の上記第２検知部の検知状況の情報を含むことを特徴とする請求項７に記載の電子機器。
【請求項１０】
上記第２検知部は、上記他の検知部のうち、対応している複数の連絡先機器のいずれかが上記第１連絡先機器である検知部であることを特徴とする請求項７から９の何れか１項に記載の電子機器。
【請求項１１】
検知部により所定の事象が検知された旨を外部の機器に通知する電子機器の制御方法であって、
上記所定の事象は、複数の異なる検知部により検知された事象のいずれかであり、上記所定の事象を検知した検知部から検知信号を受信する検知信号受信ステップと、
上記検知信号受信ステップにより所定の事象に対する上記検知信号を受信した場合、上記検知部に対応している連絡先機器に対して、上記所定の事象に関する通知を行う通知ステップとを含むことを特徴とする電子機器の制御方法。
【発明の詳細な説明】
【技術分野】
【０００１】
本発明は、電子機器、電子機器の制御方法およびプログラムに関し、例えば、所定の事象が発生した旨を外部の機器に通知する電子機器等に関する。
【背景技術】
【０００２】
通報を必要とする事象の発生時に、自動発呼により予め登録された通報先担当者に前記事象の発生内容に従う通報メッセージを伝達する電話応答通報装置等が従来技術として知られている。
【０００３】
例えば、特許文献１に記載の演算処理装置は、ネットワークを介してダム管理事務所より、ダム水文量、テレメータ情報、地震情報等に従う全観測データを受信する。また、該演算処理装置は受信情報の中から通報・応答に必要とする情報を音声応答通報装置に対して配信する。音声応答通報装置は、独自定数により通報判定を行い、通報先担当者に対する通報伝達処理を実行する。
【先行技術文献】
【特許文献】
【０００４】
【特許文献１】特開２００１−３１２７８２号公報（２００１年１１月９日公開）
【発明の概要】
【発明が解決しようとする課題】
【０００５】
しかしながら、上述のような従来技術は通報が必要になった場合、登録されている通報先担当者に単に通報を行う構成であり、生じた事象に応じて連絡先を切り替える技術ではない。
【０００６】
本発明の一態様は、生じた事象に対応することができるユーザに対して、該事象が生じた旨の通知を送信できる電子機器を実現することを目的とする。
【課題を解決するための手段】
【０００７】
上記の課題を解決するために、本発明の一態様に係る電子機器は、検知部により所定の事象が検知された旨を外部の機器に通知する電子機器であって、上記所定の事象は、複数の異なる検知部により検知された事象のいずれかであり、上記所定の事象を検知した検知部から検知信号を受信する検知信号受信部と、上記検知信号受信部が所定の事象に対する上記検知信号を受信した場合、上記検知部に対応している連絡先機器に対して、上記所定の事象に関する通知を行う通知部とを備えている。
【０００８】
また、本発明の一態様に係る電子機器の制御方法は、検知部により所定の事象が検知された旨を外部の機器に通知する電子機器の制御方法であって、上記所定の事象は、複数の異なる検知部により検知された事象のいずれかであり、上記所定の事象を検知した検知部から検知信号を受信する検知信号受信ステップと、上記検知信号受信ステップにより所定の事象に対する上記検知信号を受信した場合、上記検知部に対応している連絡先機器に対して、上記所定の事象に関する通知を行う通知ステップとを含む。
【発明の効果】
【０００９】
本発明の一態様によれば、生じた事象に応じて適切な連絡先に通知を行うことができる。
【図面の簡単な説明】
【００１０】
【図１】本発明の実施形態１に係る通知システムの構成を示すブロック図である。
【図２】本発明の実施形態１に係る通知システムの概要を示す図である。
【図３】本発明の実施形態１に係るセンサ対応呼出リストの一例を示す図である。
【図４】本発明の実施形態１に係る電話機が実行する処理の流れの一例を示すフローチャートである。
【図５】本発明の実施形態２に係る通知システムの概要を示す図である。
【図６】本発明の実施形態２に係る通知システムの構成を示すブロック図である。
【図７】本発明の実施形態２に係るセンサ対応呼出リストの一例を示す図である。
【図８】本発明の実施形態２に係る電話機が実行する処理の流れの一例を示すフローチャートである。
【図９】本発明の実施形態３に係る通知システムの概要を示す図である。
【図１０】本発明の実施形態３に係る通知システムの構成を示すブロック図である。
【図１１】（ａ）は本発明の実施形態３に係るセンサ対応呼出リストの一例を示す図である。（ｂ）は本発明の実施形態３に係るセンサ検知履歴の一例を示す図である。
【図１２】本発明の実施形態３に係る電話機が実行する処理の流れの一例を示すフローチャートである。
【図１３】本発明の実施形態４に係る通知システムの概要を示す図である。
【図１４】本発明の実施形態４に係る通知システムの構成を示すブロック図である。
【図１５】本発明の実施形態４に係るセンサ対応呼出リストの一例を示す図である。
【図１６】本発明の実施形態４に係る電話機が実行する処理の流れの一例を示すフローチャートである。
【図１７】本発明の実施形態４の変形例に係る通知システムの概要を示す図である。
【図１８】本発明の実施形態４の変形例に係る電話機が実行する処理の流れの一例を示すフローチャートである。
【図１９】本発明の実施形態４の変形例に係るセンサ対応呼出リストの一例を示す図である。
【発明を実施するための形態】
【００１１】
（電話機５および電話機５ａ〜５ｄの概要）
まず、本発明の一態様に係る電話機（電子機器）５および電話機５ａ〜５ｄの概要について、説明する。電話機５および電話機５ａ〜５ｄは、所定の事象が発生した旨を外部の機器に通知する。
【００１２】
以下に示す各実施形態では、本発明の一態様として電話機５および電話機５ａ〜５ｄの例を示すが、本発明は電話機に限定されない。例えば、外部の機器に通信を行うことができる電子機器であればよい。例えば、家庭内サーバ、家電、スマートフォン等がセンサ等から情報を得て、外部の機器（スマートフォン等）に所定の事象が発生した旨を送信する構成であってもよい。
【００１３】
上記所定の事象は異なる複数の事象のいずれかである。以下に示す各実施形態においては、所定の事象として、ユーザが緊急呼出ボタン３を押下する事象、人感センサ２が人を検知する事象、あるいは、人感センサ２が所定の期間人を検知していない事象について例を示す。一方で、所定の事象は、センサ等が検知する事象であればよく特に限定されない。例えば、所定の事象他の例として、ドアの開閉を検知するセンサが検知する事象（玄関等の開閉の検知）、窓の開閉を検知するセンサが検知する事象、ガレージの開閉を検知するセンサが検知する事象、ドアベルの押下を検知するセンサが検知する事象、温度センサが検知する所定の温度等を挙げることができる。
【００１４】
本明細書の実施形態においては、電話機５および電話機５ａ〜５ｄは所定の事象のそれぞれを検知する人感センサ２および緊急呼出ボタン３から検知信号をそれぞれ受信する検知信号受信部５１１を備えている。また、電話機５および電話機５ａ〜５ｄは、検知信号受信部５１１が検知信号を受信したとき、上記検知信号の送信元の人感センサ２および緊急呼出ボタン３に対応している連絡先機器と通信を接続する接続先決定部（接続部）５１２、５１２ａ〜５１２ｃ等を備えている。また、電話機５および電話機５ａ〜５ｄは、通知音声生成部（通知部）５１３、５１３ａ〜５１３ｃ等を備えている。通知音声生成部は検知信号受信部５１１が受信した検知信号に基づき、人感センサ２および緊急呼出ボタン３によって検知された所定の事象に関する通知を接続した連絡先機器に対して行う。
【００１５】
以下に示す各実施形態では、通知の手段として、電話回線を介した音声メッセージによる通知を例として示すが、通知にメール等を利用してもよい。また、ホームページ等に所定の事象が発生した旨を示す表示を行うことで通知を行う構成としてもよい。
【００１６】
上記の構成によれば、検知信号の送信元の検知部に対応した連絡先と通信を接続し、所定の事象が生じた旨の通知を行う。すなわち、生じた事象に応じて適切な連絡先機器に通知を行うことができる。
【００１７】
〔実施形態１〕
以下、本発明の一実施形態について、図１〜図４を用いて詳細に説明する。
【００１８】
（通知システム１の概要）
はじめに、本実施形態に係る通知システム１の概要について、図１および図２を用いて説明する。図１は、通知システム１の構成を示すブロック図である。また、図２は通知システム１の概要を示す図である。
【００１９】
図２に示すように、通知システム１は、人感センサ２、緊急呼出ボタン３、電話機５および電話機６を備えている。緊急呼出ボタン３は、ユーザＵ１が他者の助力が必要と判断した場合、助力が必要なことを報知するために使用される。図２に示す例では、人感センサ２および電話機５はユーザＵ１の家に配置されている。侵入者ＩがユーザＵ１の家に侵入すると、人感センサ２が侵入者Ｉを検知し、該検知を示す検知信号が電話機５に送信される。次に、例えばユーザＵ１が侵入者Ｉを検知した時などの異常状態を認識し、緊急呼出ボタン３を押下すると、緊急呼出ボタン３の押下を示す検知信号が電話機５に送信される。
【００２０】
なお、緊急呼出ボタン３および人感センサ２は、それぞれ、電話機５との間で、任意の通信方式、例えば、ＷｉＦｉ（登録商標）、Bluetooth（登録商標）、ＤＥＣＴ−ＵＬＥ、アナログ等の通信方式で無線通信してもよい。
【００２１】
電話機５は人感センサ２および緊急呼出ボタン３から検知信号を受信する。電話機５は複数のセンサから検知信号を受信すると優先度が最も高く設定されている検知部に対応している連絡先機器（呼出先）に通信を接続する。具体的には、人感センサ２および緊急呼出ボタン３から検知信号を受信すると、電話機５は優先度が（最も）高く設定されているセンサに対応している連絡先機器に通信を接続する。本実施形態では、緊急呼出ボタン３は人感センサ２よりも優先度が高く設定されている。そのため、電話機５は緊急呼出ボタン３に対応している連絡先である電話機６に発呼する。次に、優先度が高く設定されている緊急呼出ボタン３と受信した検知信号の他の送信元である人感センサ２とが関連付いている場合、電話機５は以下の処理を行う。ここで、「関連付いている」とは、例えば、緊急呼出ボタン３に対応している連絡先の少なくとも１つが人感センサ２に対応している連絡先機器に含まれていること等である。なお、各センサ（緊急呼出ボタン３、人感センサ２）間の関連付けの詳細については後述する。
【００２２】
電話機５は緊急呼出ボタン３が押下された事象が生じた旨の通知（所定の事象に関する通知）および緊急呼出ボタン３に関連付いている人感センサ２が検知した旨の通知（所定の事象に関する通知）を接続された電話機６に対して行う。図２では、「人感センサが検知しました。」との音声通知によって人感センサ２が検知した所定の事象が生じた旨の通知を行う例を示している。また、「緊急呼出ボタンが押されました。」との音声通知によって緊急呼出ボタン３が検知した所定の事象が生じた旨の通知を行う例を示している。
【００２３】
例えば、本実施形態の構成では電話機６の所有者である音声通知の受信者Ｕ２は、１回の音声通知にて人感センサ２が検知した事象および緊急呼出ボタン３が検知した事象の２つの事象を認識することができる。したがって、人感センサ２および緊急呼出ボタン３が検知した旨の通知を２回に分けて受信する構成に比べて、受信者が感じる煩わしさを軽減することができる。
【００２４】
また、図１に示すように、通知システム１は、緊急呼出ボタン３および人感センサ２以外に所定の事象を検知するセンサＡを備えていてもよい。本実施形態においては、２つのセンサからの検知信号を受信する例について説明するが、３つ以上のセンサから検知信号を受信した場合に、本実施形態の構成を、適宜、変更して利用してもよい。
【００２５】
（電話機５の構成）
次に、図１を参照して、電話機５の構成について説明する。電話機５は制御部５１、回線接続部５２および記憶部５３を備えている。制御部５１は電話機５の各部を統括して制御する。制御部５１は、検知信号受信部５１１、接続先決定部５１２、通知音声生成部５１３および応答信号受信部（応答受信部）５１４を備えている。記憶部５３は後述するセンサ対応呼出リスト５３１等を備えている。
【００２６】
（検知信号受信部５１１）
検知信号受信部５１１は、所定の事象を検知する人感センサ２、緊急呼出ボタン３およびセンサＡ４の検知信号を受信する。検知信号受信部５１１は受信した検知信号を接続先決定部５１２および通知音声生成部５１３に送信する。
【００２７】
（接続先決定部５１２）
接続先決定部５１２は検知信号を受信すると、送信元のセンサに対応している呼出先に発呼するよう回線接続部５２に指示する（呼出先に回線接続部５２を介して通信を接続する）。接続先決定部５１２は、複数の検知信号を受信すると、送信元のセンサのうち優先度が最も高く設定されているセンサに対応している呼出先との通信を回線接続部５２を介して接続する。例えば、記憶部５３には各センサ（人感センサ２、緊急呼出ボタン３、センサＡ４等）の優先度を示す情報が格納されていてもよい。該情報を参照して優先度の高いセンサを決定してもよい。
【００２８】
また、同じ機能を持つ複数のセンサ（例えば、緊急呼出ボタン３）から検知信号を受信する構成としてもよい。この場合、同じ機能を持つ複数のセンサの各センサに優先度が設定されていてもよい。例えば、優先度は過去に検知を行った回数が多いほど高く設定されてもよい。また、通知システム１に増設された順に（通知システム１に該センサが配置されたタイミングが古いほど優先度は高く）設定されてもよい。
【００２９】
また、接続先決定部５１２は、検知信号の送信元のセンサのうち優先度の高いセンサを決定した後、記憶部５３に格納されているセンサ対応呼出リスト５３１を参照し、該優先度の高いセンサに対応している連絡先との通信を接続する（対応している呼出先に発呼する）。ここで、センサ対応呼出リスト５３１について、図３を用いて説明する。図３はセンサ対応呼出リスト５３１の一例を示す図である。図３に示すように、センサ対応呼出リスト５３１は各センサに対応している呼出先（連絡先機器）の電話番号が示されている。また、各センサに対応している呼出先は複数設定されており、それぞれの呼出先には優先順位が設定されていてもよい。例えば、図３に示す、呼出先１、呼出先２、呼出先３の順で優先順位が高く設定されていてもよい。また、接続先決定部５１２は呼出先への回線接続後、所定時間内に呼出先から通知に対する応答信号を受信しなかった場合、発呼する呼出先を変更してもよい。例えば、接続先決定部５１２は、何れかの呼出先から通知に対する応答信号を受信するまで、該優先順位が高い順に順次、呼出先に通信接続することを所定の回数繰り返してもよい。また、接続先決定部５１２は所定時間内に呼出先から通知に対する応答信号を受信しなかった場合、回線接続の終了等を行ってもよい。接続先決定部５１２は、接続する呼出先、回線接続の開始、回線接続の終了等を通知音声生成部５１３に通知する。
【００３０】
（通知音声生成部５１３）
通知音声生成部５１３は、受信したセンサの検知信号および接続先決定部５１２の接続する呼出先、回線接続の開始、回線接続の終了等に応じて音声メッセージを生成する。また、通知音声生成部５１３は、接続先決定部５１２が接続した呼出先に音声メッセージを送信する。通知音声生成部５１３は、複数の検知信号を受信すると、優先度が最も高く設定されているセンサと検知信号の他の送信元である検知部とが関連付いているか否かを判断する。優先度が最も高く設定されているセンサと検知信号の他の送信元である検知部とが関連付いている場合、以下の処理を行う。通知音声生成部５１３は、優先度が最も高く設定されているセンサに対応した連絡先に対して次の２つ通知を同時に行う。１つ目の通知は優先度が最も高く設定されているセンサが検知した所定の事象が生じた旨の音声メッセージの送信（通知）である。また、２つ目の通知は優先度が最も高く設定されているセンサに関連付いているセンサが検知した所定の事象が生じた旨の音声メッセージの送信（通知）である。
【００３１】
（センサが関連しているか否かの判断）
ここで、通知音声生成部５１３が行う各センサが関連しているか否かの判断の例について、詳細に説明する。
【００３２】
例えば、通知音声生成部５１３は各センサ（人感センサ２、緊急呼出ボタン３、センサＡ４）間において、予め設定されている関連付けに基づいて当該判断を行う。関連付けの例としては、以下のように各センサ間で関連付けが行われてもよい。人感センサ２と緊急呼出ボタン３とが関連していると設定されている。センサＡ４と人感センサ２とは関連していると設定されていない。また、センサＡ４と緊急呼出ボタン３とは関連していると設定されていない。例えば、各センサ間の関連性を示すテーブルが記憶部５３に格納されており、通知音声生成部５１３は該テーブルを参照して判断を行ってもよい。
【００３３】
また、各センサが関連しているか否かの判断の他の例として、以下の例を挙げることができる。優先度が最も高く設定されているセンサに対応している少なくとも１つの連絡先が検知信号の他の送信元のセンサに対応している連絡先である場合、当該他の送信元のセンサは優先度が最も高く設定されているセンサと関連付いている判断される。換言すると、優先度が最も高く設定されているセンサ（第１検知部）に対応している連絡先機器が他のセンサ（第２検知部）にも対応している場合、通知音声生成部５１３は、当該第２検知部を第１検知部と関連付けられているとする。
【００３４】
図３を参照して、具体的に説明する。図３に示すように、センサ対応呼出リスト５３１においては、緊急呼出ボタン３に対応している呼出先は息子、娘および孫となっている。そのため、緊急呼出ボタン３に対応している呼出先である息子、娘、孫のうちの少なくとも１つを連絡先として含むセンサは、緊急呼出ボタン３と関連していると判断される。図３に示すように、人感センサ２に対応している呼出先は息子、娘および孫となっている。よって、緊急呼出ボタン３と人感センサ２とは関連付いていると判断される。
【００３５】
また、優先度が最も高く設定されているセンサに対応している呼出先のうち接続中の呼出先が検知信号の他の送信元のセンサに対応している連絡先である場合、他の送信元のセンサは優先度が最も高く設定されているセンサと関連付いていると判断されてもよい。
【００３６】
（応答信号受信部５１４）
応答信号受信部５１４は、通知音声生成部５１３が行った通知に対する応答を示す応答信号を呼出先から受信する。応答信号受信部５１４は応答信号を接続先決定部５１２に送信する。
【００３７】
（回線接続部５２）
回線接続部５２は、電話回線網Ｎを介して、電話回線を接続したり、電話回線を開放（回線断）したりする。本実施形態では特に、接続先決定部５１２の指示に従い電話回線の接続を行なう。
【００３８】
（電話機５の処理の流れ）
次に図４を参照して、電話機５の処理の例について説明する。図４は、電話機５が実行する処理の流れの一例を示すフローチャートである。接続先決定部５１２が人感センサ２から検知信号を受信すると（Ｓ１）、人感センサ２に対応した呼出先に発呼する（Ｓ２）。例えば、図３に示すセンサ対応呼出リスト５３１を参照すると、人感センサ２に対応している呼出先１に「息子：090-1111」が設定されている。そのため、接続先決定部５１２は「息子：090-1111」に発呼する。続いて、接続先決定部５１２が緊急呼出ボタン３から検知信号を受信すると（Ｓ３）、接続先決定部５１２は現在発呼している呼出先が緊急呼出ボタン３に対応している呼出先であるか否かを判断する（Ｓ４）。上述したように、本実施形態では、緊急呼出ボタン３は人感センサ２よりも優先度が高く設定されている。現在発呼している呼出先が緊急呼出ボタン３に対応している呼出先である場合（Ｓ４でＹＥＳ）、接続先決定部５１２は現在の呼出先への発呼を維持する。また、人感センサ２に対応している現在発呼している呼出先が緊急呼出ボタン３に対応している呼出先である場合、通知音声生成部５１３は人感センサ２および緊急呼出ボタン３が関連付いていると判断し、以下の処理を行う。通知音声生成部５１３は、接続先決定部５１２が発呼した呼出先に人感センサ２および緊急呼出ボタン３に対応した音声メッセージを送信する（音声通知）（Ｓ５）。例えば、電話機５が表示部を備えている構成である場合、電話機５は当該表示部に「ｏｏｏに通知中」、「緊急呼出ボタン」、「人感センサ」等を表示してもよい。続いて、接続先決定部５１２は応答信号を受信すると（Ｓ６）、回線接続を終了し、通知音声生成部５１３は音声通知を終了し（Ｓ７）、処理は終了する。
【００３９】
現在発呼している呼出先が緊急呼出ボタン３に対応している呼出先ではない場合（Ｓ４でＮＯ）、接続先決定部５１２は人感センサ２に対応した呼出先の発呼を終了する（Ｓ１１）。続いて、接続先決定部５１２は緊急呼出ボタン３に対応した呼出先に発呼する（Ｓ１２）。また、緊急呼出ボタン３に対応している現在発呼している呼出先が人感センサ２に対応している呼出先ではない場合、通知音声生成部５１３は人感センサ２および緊急呼出ボタン３が関連付いていないと判断し、以下の処理を行う。通知音声生成部５１３は、接続先決定部５１２が発呼した呼出先に緊急呼出ボタン３に対応した音声メッセージ（人感センサ２に対応した音声メッセージを含まない）を送信する（音声通知）（Ｓ１３）。続いて、接続先決定部５１２は応答信号を受信すると（Ｓ１４）、通知音声生成部５１３は緊急呼出ボタン３に対応した音声通知を終了する（Ｓ１５）。続いて、接続先決定部５１２は人感センサ２に対応した呼出先に発呼する（Ｓ１６）。続いて、通知音声生成部５１３は、接続先決定部５１２が発呼した呼出先に人感センサ２に対応した音声メッセージを送信する（音声通知）（Ｓ１７）。続いて、接続先決定部５１２は応答信号を受信すると（Ｓ１８）、回線接続を終了し、通知音声生成部５１３は音声通知を終了し（Ｓ１９）、処理は終了する。
【００４０】
上述の例においては、接続先決定部５１２が人感センサ２に対応した呼出先へ発呼した（Ｓ２）直後に、緊急呼出ボタン３から検知信号を受信した例について説明した。一方で、Ｓ２に続き、通知音声生成部５１３が人感センサ２に対応した音声通知を行った後に、緊急呼出ボタン３から検知信号を受信した場合においても、引き続き、図４に示すＳ４以降の処理を行えばよい。
【００４１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。以下、本発明の一実施形態について、図５〜図８を用いて詳細に説明する。
【００４２】
（通知システム１ａの概要）
はじめに、本実施形態に係る通知システム１ａの概要について、図５および図６を用いて説明する。図５は、通知システム１ａの概要を示す図である。また、図６は通知システム１ａの構成を示すブロック図である。
【００４３】
図５および図６に示すように、通知システム１ａは、人感センサ２、緊急呼出ボタン３、電話機５ａおよび電話機６１、電話機６２を備えている。本実施形態においては、緊急呼出ボタン３は、ユーザが体調の悪いことを報知するため等に使用される。図５に示すように、人感センサ２および電話機５ａはユーザＵ１の家に配置されている。ユーザＵ１の体調が悪くなるとユーザＵ１は緊急呼出ボタン３を押下し、緊急呼出ボタン３の押下を示す検知信号が電話機５ａに送信される。
【００４４】
電話機５ａは、緊急呼出ボタン３に対応している呼出先である電話機６１に、緊急呼出ボタン３が押下された旨の通知を行う。電話機６１から応答信号を受信しなかった場合、電話機５ａは、緊急呼出ボタン３とは異なる他のセンサである人感センサ２に対応している所定の条件を満たす呼出先に発呼する。電話機５ａは当該人感センサ２に対応している所定の条件を満たす呼出先に対して、緊急呼出ボタン３が押下された旨の通知を行う。
【００４５】
上記の構成によれば、緊急呼出ボタン３に対応している呼出先から応答がない場合、他のセンサ（人感センサ２等）に対応している呼出先に通知を行うことができる。そのため、緊急呼出ボタン３の押下に対して至急対応可能な受信者Ｕ２に通知を行える可能性が高くなる。
【００４６】
また、図６に示すように、通知システム１ａは、緊急呼出ボタン３および人感センサ２以外に所定の事象を検知するセンサＡ４を備えていてもよい。緊急呼出ボタン３に対応している呼出先から応答信号を受信しなかった場合、電話機５ａは任意のセンサであるセンサＡ４に対応している呼出先のうち所定の条件を満たす呼出先を通知の対象としてもよい。
【００４７】
（電話機５ａの構成）
次に、図６を参照して、電話機５ａの構成について説明する。電話機５ａは制御部５１ａ、回線接続部５２、記憶部５３およびタイマ５４ａを備えている。制御部５１ａは電話機５ａの各部を統括して制御する。制御部５１ａは、検知信号受信部５１１、接続先決定部５１２ａ、通知音声生成部５１３ａおよび応答信号受信部５１４を備えている。記憶部５３は後述するセンサ対応呼出リスト５３１ａ等を備えている。
【００４８】
検知信号受信部５１１、応答信号受信部５１４および回線接続部５２は、実施形態１で説明した検知信号受信部５１１、応答信号受信部５１４および回線接続部５２と同様の構成のためここでは説明を繰り返さない。
【００４９】
（接続先決定部５１２ａ）
接続先決定部５１２ａは検知信号を受信すると、当該検知信号の送信元のセンサに対応している呼出先に発呼するよう回線接続部５２に指示する。すなわち、呼出先に回線接続部５２を介して通信を接続する。
【００５０】
また、接続先決定部５１２ａは、受信した検知信号の送信元のセンサに対応している呼出先から応答信号を受信しなかった場合、受信した検知信号の送信元のセンサとは異なる他のセンサに対応している所定の条件を満たす呼出先に発呼するよう回線接続部５２に指示する。例えば、接続先決定部５１２ａは、呼出先に発呼してから所定の時間内に応答信号を受信しなかった場合に、異なる呼出先に発呼する構成としてもよい。接続先決定部５１２ａは、タイマ５４ａを参照して当該所定の時間の経過を判断してもよい。
【００５１】
（所定の条件を満たす呼出先の例）
上記所定の条件を満たす呼出先の例について説明する。複数のセンサ（人感センサ２、緊急呼出ボタン３、センサＡ４）間の関連付けが予め設定されている場合、上記所定の条件を満たす呼出先は、受信した検知信号の送信元のセンサと関連付いているセンサに対応している連絡先である。例えば、各センサ間の関連付けを示すテーブルが記憶部５３に格納されており、接続先決定部５１２ａは該テーブルを参照して検知信号の送信元のセンサと関連付いているセンサを決定してもよい。そして、接続先決定部５１２ａは記憶部５３に格納されているセンサ対応呼出リスト５３１ａを参照し、検知信号の送信元のセンサと関連付いているセンサに対応している呼出先に発呼する。ここで、センサ対応呼出リスト５３１ａについて、図７を用いて説明する。図７はセンサ対応呼出リスト５３１ａの一例を示す図である。図７に示すように、センサ対応呼出リスト５３１ａは各センサに対応している呼出先（連絡先）の電話番号が示されている。また、各センサに対応している呼出先は複数設定されている。例えば、人感センサ２と緊急呼出ボタン３とが関連していると設定されている場合、緊急呼出ボタン３から検知信号を受信すると、図７に示す「緊急呼出ボタン」の呼出先である「息子：090-1111」に発呼する。該呼出先から応答信号を受信しなかった場合、接続先決定部５１２ａは、図７に示す「人感センサ」の呼出先である「娘：090-2222」に発呼する。
【００５２】
また、所定の条件を満たす呼出先の他の例として、検知信号の送信元のセンサに対応している呼出先の少なくとも１つの呼出先を、対応している呼出先として含むセンサの呼出先を挙げることができる。例えば、図７に示すように、「息子：090-1111」が、緊急呼出ボタン３に対応している呼出先であるとする。「息子：090-1111」は、人感センサ２の対応している呼出先である。そのため、人感センサ２に対応している呼出先である「娘：090-2222」および「孫：090-3333」は、所定の条件を満たす呼出先となる。換言すると、所定の条件を満たす呼出先は、人感センサ２に対応している呼出先のうち、緊急呼出ボタン３に対応している呼出先以外の呼出先である。換言すると所定の条件を満たす呼出先は、検知信号の送信元ではないセンサのうち、対応している複数の呼出先のいずれかが検知信号の送信元の呼出先であるセンサに対応している呼出先である。
【００５３】
また、さらに他の例として、所定の条件を満たす呼出先として、電話機５ａの市外局番と同じ市外局番を有する呼出先を挙げることができる。また、検知信号の送信元のセンサに対応している呼出先と同じ市外局番を有する呼出先を挙げることができる。
【００５４】
上記の構成によれば、電話機５ａが設置されている市内の電話を呼出先として、所定の事象が生じたことを通知することができる。そのため、生じた所定の事象に対して至急対応できる受信者に通知できる可能性が高くなる。
【００５５】
接続先決定部５１２ａは接続する呼出先、回線接続の開始、回線接続の終了等を通知音声生成部５１３ａに通知する。
【００５６】
（通知音声生成部５１３ａ）
通知音声生成部５１３ａは、受信した検知信号（各センサの検知）に応じて音声メッセージを生成する。通知音声生成部５１３ａは、接続先決定部５１２ａが接続した呼出先に当該音声メッセージを送信する。また、通知音声生成部５１３ａは、応答信号受信部５１４が受信した検知信号の送信元のセンサに対応した呼出先から応答を受信しなかった場合、以下の処理を行う。通知音声生成部５１３ａは、受信した検知信号の送信元のセンサに対応した呼出先に対して行った通知と同じ通知を上記所定の条件を満たす連絡先機器に送信する。
【００５７】
（電話機５ａの処理の流れ）
次に図８を参照して、電話機５ａの処理の例について説明する。図８は、電話機５ａが実行する処理の流れの一例を示すフローチャートである。接続先決定部５１２ａが緊急呼出ボタン３から検知信号を受信すると（Ｓ２０）、接続先決定部５１２ａは接続先決定部５１２ａに対応した呼出先に発呼する（Ｓ２１）。続いて、通知音声生成部５１３ａは、接続先決定部５１２ａが発呼した呼出先に緊急呼出ボタン３に対応した音声メッセージを送信する（音声通知）（Ｓ２２）。接続先決定部５１２ａは呼出先から応答信号を受信したか否かを判断する（Ｓ２３）。呼出先から応答信号を受信しなかった場合（Ｓ２３でＮＯ）、接続先決定部５１２ａは、緊急呼出ボタン３に対応した呼出先のうち発呼していない呼出先があるか否かを判断する（Ｓ２４）。発呼していない呼出先がない場合（Ｓ２４でＮＯ）、接続先決定部５１２ａは所定の条件を満たす呼出先に発呼する（Ｓ２５）。なお、説明の便宜上、本実施形では、人感センサ２に対応した連絡先が所定の条件を満たす呼出先であるとする。続いて、通知音声生成部５１３ａは、接続先決定部５１２ａが発呼した呼出先に緊急呼出ボタン３に対応した音声メッセージを送信する（音声通知）（Ｓ２６）。続いて、接続先決定部５１２ａは呼出先から応答信号を受信したか否かを判断する（Ｓ２７）。呼出先から応答信号を受信しなかった場合（Ｓ２７でＮＯ）、接続先決定部５１２ａは、人感センサ２に対応した呼出先のうち発呼していない呼出先があるか否かを判断する（Ｓ２８）。発呼していない呼出先がある場合（Ｓ２８でＹＥＳ）、処理はＳ２５に戻る。
【００５８】
なお、呼出先から応答信号を受信した場合（Ｓ２３でＹＥＳおよびＳ２７でＹＥＳ）、処理は終了する。また、緊急呼出ボタン３に対応した呼出先のうち発呼していない呼出先がある場合（Ｓ２４でＹＥＳ）、処理はＳ２１に戻る。また、人感センサ２に対応した呼出先のうち発呼していない呼出先がない場合（Ｓ２８でＮＯ）、処理は終了する。
【００５９】
〔実施形態３〕
本発明の他の実施形態について、以下に説明する。なお、説明の便宜上、上記実施形態にて説明した部材と同じ機能を有する部材については、同じ符号を付記し、その説明を繰り返さない。以下、本発明の一実施形態について、図９〜図１２を用いて詳細に説明する。
【００６０】
（通知システム１ｂの概要）
はじめに、本実施形態に係る通知システム１ｂの概要について、図９および図１０を用いて説明する。図９は、通知システム１ｂの概要を示す図である。また、図１０は通知システム１ｂの構成を示すブロック図である。
【００６１】
図９および図１０に示すように、通知システム１ｂは、人感センサ２、緊急呼出ボタン３、電話機５ｂおよび電話機６ｂを備えている。本実施形態においては、緊急呼出ボタン３は、ユーザＵ１が体調の悪いことを報知するため等に使用される。図９に示すように、人感センサ２および電話機５ｂはユーザＵ１の家に配置されている。ユーザＵ１の体調が悪くなるとユーザＵ１は緊急呼出ボタン３を押下し、緊急呼出ボタン３の押下を示す検知信号が電話機５ｂに送信される。また、人感センサ２は、ユーザの見守りの観点から、ユーザが活動している時間帯（例えば９：００−１７：００）において、人を一度も検知しなかった場合、所定の事象の検知信号を電話機５ｂへ送信する。
【００６２】
図１０に示すように、電話機５ｂは、複数のセンサの検知履歴であるセンサ検知履歴５３２ｂを格納する記憶部５３ｂを備えている。
【００６３】
例えば、電話機５ｂは緊急呼出ボタン３から検知信号を受信すると、緊急呼出ボタン３に対応している呼出先に発呼する。発呼した呼出先が緊急呼出ボタン３と関連付いている他のセンサ（例えば、人感センサ２）に対応している呼出先である場合、電話機５ｂは緊急呼出ボタン３が押下された旨の通知と共に、人感センサ２の検知履歴を上記発呼した呼出先に通知する。ここで、検知履歴とは、緊急呼出ボタン３から検知信号を受信する前に、人感センサ２によって検知された情報ということができる。
【００６４】
例えば、図９では、電話機５ｂが「緊急呼出ボタンが押されました。」との音声通知によって緊急呼出ボタン３が検知した所定の事象が生じた旨の通知を行う例を示している。また、図９では、電話機５ｂが緊急呼出ボタン３と関連付いている人感センサ２の検知履歴の通知を行う例として以下の音声通知を行う例を示している。また、図９に示すように、電話機５ｂは「応答しなかった呼出があります。６/２０  ９：３５の人感センサについての音声通知に応答がありませんでした」との音声通知を行う。
【００６５】
上記の構成によれば、緊急呼出ボタン３が押下されたことおよび人感センサ２の検知履歴を呼出先に通知することができる。そのため、呼出先の通知の受信者Ｕ２は検知された複数の所定の事象から状況を判断することができる。
【００６６】
また、人感センサ２の検知について、通知は行ったが呼出先における応答を受信していない場合において、人感センサ２の検知を再度通知する機会を得ることができる。
【００６７】
また、図１０に示すように、通知システム１ｂは、緊急呼出ボタン３および人感センサ２以外に所定の事象を検知するセンサＡ４を備えていてもよい。本実施形態においては、１つのセンサの検知履歴を通知する例について説明するが、２つ以上のセンサの検知履歴を通知する構成として、適宜、変更して利用してもよい。
【００６８】
（電話機５ｂの構成）
次に、図１０を参照して、電話機５ｂの構成について説明する。電話機５ｂは制御部５１ｂ、回線接続部５２、記憶部５３ｂおよびタイマ５４ａを備えている。制御部５１ｂは電話機５ｂの各部を統括して制御する。制御部５１ｂは、検知信号受信部５１１、接続先決定部５１２ｂ、通知音声生成部５１３ｂおよび応答信号受信部５１４を備えている。記憶部５３ｂは後述するセンサ対応呼出リスト５３１ｂ、センサ検知履歴５３２ｂ等を備えている。
【００６９】
検知信号受信部５１１、応答信号受信部５１４および回線接続部５２およびタイマ５４ａは、実施形態１または実施形態２で説明した検知信号受信部５１１、応答信号受信部５１４、回線接続部５２およびタイマ５４ａと同様の構成のためここでは説明を繰り返さない。
【００７０】
（接続先決定部５１２ｂ）
接続先決定部５１２ｂは検知信号を受信すると、当該検知信号の送信元のセンサに対応している呼出先に発呼するよう回線接続部５２に指示する。すなわち、接続先決定部５１２ｂは、呼出先に回線接続部５２を介して通信を接続する。
【００７１】
例えば、接続先決定部５１２ｂは、記憶部５３ｂに格納されているセンサ対応呼出リスト５３１ｂを参照し、検知信号の送信元のセンサに対応している呼出先に発呼してもよい。図１１の（ａ）は、センサ対応呼出リスト５３１ｂの一例を示す図である。図１１の（ａ）に示すように、センサ対応呼出リスト５３１ｂは各センサに対応している呼出先（連絡先）の電話番号が示されている。また、各センサに対応している呼出先は複数設定されており、それぞれの呼出先には優先順位が設定されていてもよい。例えば、図１１の（ａ）に示す、呼出先１、呼出先２、呼出先３の順で優先順位が高く設定されていてもよい。例えば、何れかの呼出先から通知に対する応答信号を受信するまで、接続先決定部５１２は該優先順位が高い順に順次、呼出先に通信接続することを所定の回数繰り返してもよい。
【００７２】
また、接続先決定部５１２ｂは、タイマ５４ａを参照して、呼出先に発呼してから所定の時間内に応答信号を受信しなかった場合に、回線接続を終了してもよい。接続先決定部５１２ｂは応答信号の受信の有無、受信した検知信号等に応じて、後述のセンサ検知履歴５３２ｂを更新してもよい。
【００７３】
また、接続先決定部５１２ｂは現在発呼している呼出先、回線接続の開始、回線接続の終了などを通知音声生成部５１３に通知する。
【００７４】
（通知音声生成部５１３ｂ）
通知音声生成部５１３ｂは、受信した検知信号（各センサの検知）に応じて音声メッセージを生成する。通知音声生成部５１３ｂは、接続先決定部５１２ｂが接続した呼出先に当該音声メッセージを送信する。また、接続先決定部５１２ｂが接続した呼出先が所定の事象を検知したセンサと関連付いている他のセンサに対応している呼出先である場合、通知音声生成部５１３ｂは、以下の処理を行う。通知音声生成部５１３ｂは検知された所定の事象が生じた旨の通知と共に、所定の事象を検知したセンサと関連付いている他のセンサの検知履歴の通知を接続先決定部５１２ｂが接続した上記呼出先に行う。
【００７５】
（センサが関連しているか否かの判断）
ここで、通知音声生成部５１３ｂが行う各センサ間の関連付けの判断の例について、詳細に説明する。各センサ（人感センサ２、緊急呼出ボタン３、センサＡ４）間において、関連付けが予め設定されている。通知音声生成部５１３ｂは該設定に応じて各センサ間の関連付けを判断する。例えば、各センサ間の関連性を示すテーブルが記憶部５３ｂに格納されており、通知音声生成部５１３ｂは該テーブルを参照して判断を行ってもよい。
【００７６】
また、通知音声生成部５１３ｂが行う各センサ間の関連付けの判断の他の例として、以下の例を挙げることができる。所定の事象を検知したセンサに対応している少なくとも１つの連絡先が他のセンサに対応している連絡先である場合、当該他のセンサは所定の事象を検知したセンサと関連付いていると判断される。換言すると、所定の事象を検知したセンサに関連付いているセンサは、所定の事象を検知したセンサ以外のセンサのうち、対応している複数の連絡先機器のいずれかが所定の事象を検知したセンサに対応している連絡先であるセンサである。
【００７７】
図１１の（ａ）を参照して、具体的に説明する。図１１の（ａ）に示すように、センサ対応呼出リスト５３１ｂにおいては、緊急呼出ボタン３に対応している呼出先は息子、娘および孫となっている。そのため、緊急呼出ボタン３に対応している呼出先である息子、娘、孫のうちの少なくとも１つを連絡先として含むセンサは、緊急呼出ボタン３と関連していると判断される。人感センサ２に対応している呼出先は息子、娘および孫となっている。よって、緊急呼出ボタン３と人感センサ２とは関連付いているセンサであると判断される。
【００７８】
また、所定の事象を検知したセンサに対応している連絡先のうち現在発呼を行っている（接続している）呼出先が他のセンサに対応している連絡先である場合、当該他のセンサは所定の事象を検知したセンサと関連付いていると判断されてもよい。
【００７９】
（センサ検知履歴５３２ｂ）
通知音声生成部５１３ｂは、例えば、記憶部５３ｂに格納されている各センサの検知履歴を示すセンサ検知履歴５３２ｂから、所定の事象を検知したセンサと関連付いている他のセンサの検知履歴を取得してもよい。図１１の（ｂ）はセンサ検知履歴５３２ｂの一例を示す図である。図１１の（ｂ）に示すように、センサ検知履歴５３２ｂは検知したセンサの名前（センサ名）、センサが所定の事象を検知した日時、通知を行った呼出先からの応答の有無（応答状況）等を示す。
【００８０】
例えば、通知音声生成部５１３ｂが通知するセンサの検知履歴は、所定の期間内における履歴としてもよい（例えば、１日以内の履歴、当日の履歴）。また、通知音声生成部５１３ｂが通知するセンサの検知履歴は、当日の検知履歴のうち直近１０件分の検知履歴等としてもよい。また、所定の期間内に同一のセンサが繰り返し検知を行い、該検知について通知を行っている場合は、当該履歴をまとめて報告してよい（例えば、「○○センサが繰り返し検知を行っています」等）。また、上記のように検知をまとめて報告する場合、最初に検知された時刻、最後に検知された時刻の少なくとも１つを通知に含めてもよい。
【００８１】
（電話機５ｂの処理の流れ）
次に図１２を参照して、電話機５ｂの処理の例について説明する。図１２は、電話機５ｂが実行する処理の流れの一例を示すフローチャートである。接続先決定部５１２ｂは、緊急呼出ボタン３から検知信号を受信すると（Ｓ３０）、緊急呼出ボタン３に対応した呼出先に発呼する（Ｓ３１）。例えば、図１１の（ａ）に示すセンサ対応呼出リスト５３１ｂを参照すると、緊急呼出ボタン３に対応している呼出先１に「息子：090-1111」が設定されている。そのため、接続先決定部５１２ｂは「息子：090-1111」に発呼する。続いて、通知音声生成部５１３ｂはセンサ間の関連付けの判断を行う。例えば、通知音声生成部５１３ｂは緊急呼出ボタン３に対応した呼出先のうち現在発呼を行っている呼出先が人感センサ２に対応している呼出先であるか否かを判断する（Ｓ３２）。現在発呼している呼出先が人感センサ２に対応している呼出先である場合（緊急呼出ボタン３と人感センサ２とが関連付いている場合）（Ｓ３２でＹＥＳ）、通知音声生成部５１３ｂは人感センサ２の検知履歴を取得する（Ｓ３３）。続いて、通知音声生成部５１３ｂは、接続先決定部５１２ｂが発呼した呼出先に人感センサ２の検知履歴および緊急呼出ボタン３の検知に対応した音声メッセージを送信する（音声通知）（Ｓ３４）。続いて、接続先決定部５１２ｂは応答信号を受信すると（Ｓ３５）、回線接続を終了し、通知音声生成部５１３ｂは音声通知を終了し、処理は終了する。
【００８２】
なお、現在発呼している呼出先が人感センサ２に対応している呼出先ではない場合（Ｓ３２でＮＯ）、通知音声生成部５１３ｂは、接続先決定部５１２ｂが発呼した呼出先に緊急呼出ボタン３の検知に対応した音声メッセージを送信する（音声通知）（Ｓ３６）。続いて、接続先決定部５１２ｂは応答信号を受信すると（Ｓ３７）、回線接続を終了し、通知音声生成部５１３ｂは音声通知を終了し、処理は終了する。
【００８３】
〔実施形態４〕
本発明の他の実施形態について、以下に説明する。なお、説明の便宜上、上記実施形態にて説明した部材と同じ機能を有する部材については、同じ符号を付記し、その説明を繰り返さない。以下、本発明の一実施形態について、図１３〜図１６を用いて詳細に説明する。
【００８４】
（通知システム１ｃの概要）
はじめに、本実施形態に係る通知システム１ｃの概要について、図１３および図１４を用いて説明する。図１３は、通知システム１ｃの概要を示す図である。また、図１４は通知システム１ｃの構成を示すブロック図である。
【００８５】
図１３および図１４に示すように、通知システム１ｃは、人感センサ２、緊急呼出ボタン３、電話機５ｃおよび電話機６ｃを備えている。本実施形態においては、緊急呼出ボタン３は、ユーザが体調の悪いことを報知するため等に使用される。図１３に示すように、人感センサ２および電話機５ｃはユーザＵ１の家に配置されている。体調が悪くなるとユーザＵ１は緊急呼出ボタン３を押下し、緊急呼出ボタン３の押下を示す検知信号が電話機５ｃに送信される。また、人感センサ２は、ユーザＵ１の見守りの観点から、ユーザＵ１が活動している時間帯（例えば９：００−１７：００）において、人を一度も検知しなかった場合、所定の事象の検知信号を電話機５ｃへ送信する構成としてもよい。
【００８６】
図１４に示すように、電話機５ｃは、複数のセンサ（緊急呼出ボタン３および人感センサ２）の検知履歴を格納する記憶部５３ｃを備えている。
【００８７】
例えば、電話機５ｃは、緊急呼出ボタン３から検知信号を受信すると、緊急呼出ボタン３に対応している呼出先に発呼する。
【００８８】
発呼した呼出先が緊急呼出ボタン３と関連付いている他のセンサ（例えば、人感センサ２）に対応している呼出先である場合、電話機５ｃは、人感センサ２の検知状況を取得（あるいは判断）し、緊急呼出ボタン３が押下された旨の通知と共に、取得した人感センサ２の検知状況に応じた通知を上記発呼した呼出先に通知する。すなわち、取得した人感センサ２の検知状況は、緊急呼出ボタン３から検知信号を受信した後、人感センサ２によって検知された情報を含む。また、検知状況とは、所定の期間における各種センサの検知の有無を含む。
【００８９】
例えば、図１３では、「緊急呼出ボタンが押されました。」との音声通知によって、緊急呼出ボタン３が検知した所定の事象が生じた旨の通知を電話機５ｃが行う例を示している。また、図１３では、緊急呼出ボタン３と関連付いている人感センサ２の検知状況に応じた通知を電話機５ｃが行う例として以下の音声通知を行う例を示している。電話機５ｃは「人感センサが見守り監視中です。監視時間が残り１０分で終了します。未だ反応がありません。注意してください！！」との音声通知を行う。
【００９０】
上記の構成によれば、緊急呼出ボタン３が押下されたことおよび人感センサ２の検知結果を呼出先に通知することができる。そのため、呼出先の受信者は複数の所定の事象、特に最新の事象の検知結果から、状況を判断することができる。
【００９１】
また、図１４に示すように、通知システム１ｃは、緊急呼出ボタン３および人感センサ２以外に所定の事象を検知するセンサＡ４を備えていてもよい。本実施形態においては、所定の事象を検知したセンサ以外の１つのセンサの検知状況を通知する例について説明する。一方で、所定の事象を検知したセンサ以外の２つ以上のセンサの検知状況を通知する構成として、適宜、変更して利用してもよい。
【００９２】
（電話機５ｃの構成）
次に、図１４を参照して、電話機５ｃの構成について説明する。電話機５ｃは制御部５１ｃ、回線接続部５２、記憶部５３ｃおよびタイマ５４ａを備えている。制御部５１ｃは電話機５ｃの各部を統括して制御する。制御部５１ｃは、検知信号受信部５１１、接続先決定部５１２ｃ、通知音声生成部５１３ｃおよび応答信号受信部５１４を備えている。記憶部５３ｃは後述するセンサ対応呼出リスト５３１ｃ、センサ検知履歴５３２ｂ等を備えている。
【００９３】
検知信号受信部５１１、応答信号受信部５１４および回線接続部５２、タイマ５４ａおよびセンサ検知履歴５３２ｂは、実施形態１から実施形態３の何れかで説明した検知信号受信部５１１、応答信号受信部５１４、回線接続部５２、タイマ５４ａおよびセンサ検知履歴５３２ｂと同様の構成のためここでは説明を繰り返さない。また、接続先決定部５１２ｃおよびセンサ対応呼出リスト５３１ｃは、実施形態３で説明した接続先決定部５１２ｂおよびセンサ対応呼出リスト５３１ｂと同様の構成のためここでは説明を繰り返さない。
【００９４】
（通知音声生成部５１３ｃ）
通知音声生成部５１３ｃは、受信した検知信号（各センサの検知）に応じて音声メッセージを生成する。通知音声生成部５１３ｃは、接続先決定部５１２ｃが接続した呼出先に当該音声メッセージを送信する。また、接続先決定部５１２ｃが接続した呼出先が所定の事象を検知したセンサと関連付いている他のセンサに対応している呼出先である場合、通知音声生成部５１３ｃは、以下の処理を行う。通知音声生成部５１３ｃは検知された所定の事象が生じた旨の通知を行う。また、通知音声生成部５１３ｃは、所定の事象を検知したセンサと関連付いている他のセンサの検知結果を検知信号受信部を介して取得する。また、通知音声生成部５１３ｃは、所定の事象を検知したセンサと関連付いている他のセンサの検知の検知履歴を取得する。通知音声生成部５１３ｃは当該検知結果と検知履歴とから検知状況（所定の期間における検知の有無）を判断する。通知音声生成部５１３ｃは、検知された所定の事象が生じた旨の通知と共に、所定の事象を検知したセンサと関連付いている他のセンサの検知状況に応じた通知を行う。
【００９５】
（センサが関連しているか否かの判断）
ここで、通知音声生成部５１３ｃが行う各センサ間の関連付けの判断の例について、詳細に説明する。各センサ（人感センサ２、緊急呼出ボタン３、センサＡ４）間において、関連付けが予め設定されている。通知音声生成部５１３ｃは該設定に応じて各センサ間の関連付けを判断する。例えば、各センサ間の関連性を示すテーブルが記憶部５３ｃに格納されており、通知音声生成部５１３ｃは該テーブルを参照して判断を行ってもよい。
【００９６】
また、通知音声生成部５１３ｃが行う各センサ間の関連付けの判断の他の例として、以下の例を挙げることができる。所定の事象を検知したセンサに対応している少なくとも１つの連絡先が他のセンサに対応している連絡先である場合、当該他のセンサは所定の事象を検知したセンサと関連付いていると判断される。図１５を参照して、具体的に説明する。図１５はセンサ対応呼出リスト５３１ｃの一例を示す図である。図１５に示すように、センサ対応呼出リスト５３１ｃにおいては、緊急呼出ボタン３に対応している呼出先は息子、娘および孫となっている。そのため、緊急呼出ボタン３に対応している呼出先である息子、娘、孫のうちの少なくとも１つを連絡先として含むセンサは、緊急呼出ボタン３と関連していると判断される。人感センサ２に対応している呼出先は息子、娘および孫となっている。よって、緊急呼出ボタン３と人感センサ２とは関連付いているセンサであると判断される。
【００９７】
また、所定の事象を検知したセンサに対応している連絡先のうち接続中の呼出先が他のセンサに対応している連絡先である場合、当該他のセンサは所定の事象を検知したセンサと関連付いていると判断されてもよい。
【００９８】
（取得したセンサの検知結果）
通知音声生成部５１３ｃは、例えば、記憶部５３ｃに格納されている各センサの検知履歴を示すセンサ検知履歴５３２ｂと所定の事象を検知したセンサと関連付いている他のセンサの検知結果とから音声メッセージを生成してもよい。例えば、図１３では「人感センサが見守り監視中です。監視時間が残り１０分で終了しますが未だ反応がありません。注意してください！！」との音声メッセージが示されている。通知音声生成部５１３ｃは、取得した人感センサ２の検知結果（人を検知していないという結果）と、センサ検知履歴５３２ｂが示す人感センサ２の検知履歴とから生成する。
【００９９】
また、後述の変形例にて説明するように、通知音声生成部５１３ｃはセンサ検知履歴５３２ｂを参照せずに、通知音声生成部５１３ｃが取得した所定の事象を検知したセンサと関連付いている他のセンサの検知状況から音声メッセージを生成してもよい。
【０１００】
（電話機５ｃの処理の流れ）
次に図１６を参照して、電話機５ｃの処理の例について説明する。図１６は、電話機５ｃが実行する処理の流れの一例を示すフローチャートである。接続先決定部５１２ｃは、緊急呼出ボタン３から検知信号を受信すると（Ｓ４０）、緊急呼出ボタン３に対応した呼出先に発呼する（Ｓ４１）。例えば、図１５に示すセンサ対応呼出リスト５３１ｃを参照すると、緊急呼出ボタン３に対応している呼出先１に「息子：090-1111」が設定されている。そのため、接続先決定部５１２ｃは「息子：090-1111」に発呼する。続いて、通知音声生成部５１３ｃはセンサ間の関連付けを判断する。例えば、通知音声生成部５１３ｃは緊急呼出ボタン３に対応した呼出先のうち現在発呼を行っている呼出先が人感センサ２に対応している呼出先であるか否かを判断する（Ｓ４２）。現在発呼している呼出先が人感センサ２に対応している呼出先である場合（Ｓ４２でＹＥＳ）、通知音声生成部５１３ｃは、人感センサ２の検知結果とセンサ検知履歴５３２ｂが示す人感センサ２の検知履歴とから検知状況を取得する（Ｓ４３）。続いて、通知音声生成部５１３ｃは、接続先決定部５１２ｃが発呼した呼出先に、人感センサ２の最新の検知状況に応じた音声メッセージを送信する（音声通知）（Ｓ４４）。続いて、接続先決定部５１２ｃは応答信号を受信すると（Ｓ４５）、回線接続を終了し、通知音声生成部５１３ｃは音声通知を終了し、処理は終了する。
【０１０１】
なお、現在発呼している呼出先が人感センサ２に対応している呼出先ではない場合（Ｓ４２でＮＯ）、通知音声生成部５１３ｃは、接続先決定部５１２ｃが発呼した呼出先に緊急呼出ボタン３の検知に対応した音声メッセージを送信する（音声通知）（Ｓ４６）。続いて、接続先決定部５１２ｃは応答信号を受信すると（Ｓ４７）、回線接続を終了し、通知音声生成部５１３ｃは音声通知を終了し、処理は終了する。
【０１０２】
〔変形例〕
本実施形態の変形例について、以下に説明する。なお、説明の便宜上、上記実施形態にて説明した部材と同じ機能を有する部材については、同じ符号を付記し、その説明を繰り返さない。以下、本変形例について、図１７〜図１９を用いて詳細に説明する。
【０１０３】
（通知システム１ｄの概要）
はじめに、本変形例に係る通知システム１ｄの概要について、図１７を用いて説明する。図１７は、通知システム１ｄの概要を示す図である。図１７に示すように、通知システム１ｄは上述の通知システム１ｃの人感センサ２の代わりに温度センサ７を備えている。また、通知システム１ｄは上述の通知システム１ｃの電話機５ｃの代わりに電話機５ｄを備えている。例えば、ユーザＵ１は体調が悪くなると緊急呼出ボタン３を押下し、緊急呼出ボタン３の押下を示す検知信号が電話機５ｄに送信される。電話機５ｄは、緊急呼出ボタン３から検知信号を受信すると、緊急呼出ボタン３に対応している呼出先に発呼する。発呼した呼出先が温度センサ７に対応している呼出先である場合、電話機５ｄは、温度センサ７の検知結果を取得し、緊急呼出ボタン３が押下された旨の通知と共に、取得した温度センサ７の検知結果に応じた通知を上記発呼した呼出先に通知する。
【０１０４】
例えば、図１７では、電話機５ｄが「緊急呼出ボタンが押されました。」との音声通知を行うことによって、緊急呼出ボタン３が検知した所定の事象が生じた旨の通知を行う例を示している。また、図１７では、電話機５ｄが緊急呼出ボタン３と関連付いている温度センサ７の検知結果に応じた通知を行う例として以下の音声通知を行う例を示している。電話機５ｄは「温度センサが３５℃を検出しています。熱中症の可能性があります。注意してください！！」との音声通知を行う。
【０１０５】
上記の構成によれば、呼出先に緊急呼出ボタン３が押下されたことを示す通知および温度センサ７の検知結果に応じた通知を行うことができる。そのため、呼出先の通知の受信者Ｕ２は複数の所定の事象、特に最新の事象の検知結果から、状況を判断することができる。
【０１０６】
なお、上述のように、電話機５ｄは、電話機５ｃが人感センサ２から検知信号を受信する代わりに、温度センサ７から検知信号を受信または取得する。その他の電話機５ｄの構成においては、特に記載がない限り、電話機５ｃと同様であるため、ここでは説明を繰り返さない。
【０１０７】
（電話機５ｄの処理の流れ）
次に図１８を参照して、電話機５ｄの処理の例について説明する。図１８は、電話機５ｄが実行する処理の流れの一例を示すフローチャートである。電話機５ｄの接続先決定部５１２ｃは、緊急呼出ボタン３から検知信号を受信すると（Ｓ５０）、緊急呼出ボタン３に対応した呼出先に発呼する（Ｓ５１）。
【０１０８】
図１９はセンサ対応呼出リスト５３１ｄの一例を示す図である。図１９に示すように、センサ対応呼出リスト５３１ｄは緊急呼出ボタン３に対応している呼出先、温度センサ７に対応している呼出先等を示す。図１９に示すセンサ対応呼出リスト５３１ｄを参照すると、緊急呼出ボタン３に対応している呼出先１に「息子：090-1111」が設定されている。そのため、接続先決定部５１２ｃは「息子：090-1111」に発呼する。続いて、通知音声生成部５１３ｃはセンサ間の関連付けの判断を行う。例えば、通知音声生成部５１３ｃは緊急呼出ボタン３に対応した呼出先のうち現在発呼を行っている呼出先が温度センサ７に対応している呼出先であるか否かを判断する（Ｓ５２）。なお、通知音声生成部５１３ｃは、上述の実施形態４の「センサが関連しているか否かの判断」に記載されている例を用いて当該判断を行ってもよい。現在発呼している呼出先が温度センサ７に対応している呼出先である場合（Ｓ５２でＹＥＳ）、通知音声生成部５１３ｃは温度センサ７の検知結果を取得する（Ｓ５３）。続いて、通知音声生成部５１３ｃは、接続先決定部５１２ｃが発呼した呼出先に、温度センサ７の最新の検知結果（検出値）に応じた音声メッセージを送信する（音声通知）（Ｓ５４）。続いて、接続先決定部５１２ｃは応答信号を受信すると（Ｓ５５）、回線接続を終了し、通知音声生成部５１３ｃは音声通知を終了し、処理は終了する。
【０１０９】
なお、現在発呼している呼出先が温度センサ７に対応している呼出先ではない場合（センサが関連付いていない場合）（Ｓ５２でＮＯ）、通知音声生成部５１３ｃは、接続先決定部５１２ｃが発呼した呼出先に緊急呼出ボタン３の検知に対応した音声メッセージを送信する（音声通知）（Ｓ５６）。続いて、接続先決定部５１２ｃは応答信号を受信すると（Ｓ５７）、回線接続を終了し、通知音声生成部５１３ｃは音声通知を終了し、処理は終了する。
【０１１０】
〔ソフトウェアによる実現例〕
電話機５および電話機５ａ〜５ｄの制御ブロック（制御部５１、制御部５１ａ〜５１ｃ）は、集積回路（ＩＣチップ）等に形成された論理回路（ハードウェア）によって実現してもよいし、ソフトウェアによって実現してもよい。
【０１１１】
後者の場合、電話機５および電話機５ａ〜５ｄは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１２】
〔まとめ〕
本発明の態様１に係る電子機器（電話機５、５ａ〜５ｄ）は、検知部（人感センサ２、緊急呼出ボタン３、センサＡ４）により所定の事象が検知された旨を外部の機器に通知する電子機器であって、上記所定の事象は、複数の異なる検知部により検知された事象のいずれかであり、上記所定の事象を検知した検知部から検知信号を受信する検知信号受信部（５１１）と、上記検知信号受信部が所定の事象に対する上記検知信号を受信した場合、上記検知部に対応している連絡先機器に対して、上記所定の事象に関する通知を行う通知部（通知音声生成部５１３、５１３ａ〜５１３ｃ）とを備えている。
【０１１３】
上記の構成によれば、検知信号の送信元の検知部に対応した連絡先に対して、所定の事象が生じた旨の通知を行う。すなわち、生じた事象に応じて適切な連絡先に通知を行うことができる。
【０１１４】
本発明の態様２に係る電子機器（電話機５）は、上記態様１において、上記検知信号受信部が複数の検知部から検知信号を受信すると、上記通知部（通知音声生成部５１３）は、上記検知信号の送信元である複数の検知部のうち優先度が最も高く設定されている第１検知部に対応している連絡先機器に対して、上記第１検知部によって検知された所定の事象に関する通知、および、上記複数の検知部のうち上記第１検知部と関連付けられている第２検知部によって検知された所定の事象に関する通知を行ってもよい。
【０１１５】
上記の構成によれば関連付いた異なる検知部が検知した事象を１つの連絡先に同時に通知することができる。そのため、通知を受けた受信者は複数の通知から状況を判断することができる。また、異なる検知部が検知した旨の通知を検知ごとに別々に送信する構成に比べて、受信者が感じる煩わしさを軽減することができる。また、通知の回数を減らすことができるため通信料の節約になる。なお、複数の検知部間における上記関連付けは予め設定されていてもよい。
【０１１６】
本発明の態様３に係る電子機器は、上記態様２において、上記第１検知部に対応している連絡先機器が上記第２検知部にも対応している場合、上記通知部は、当該第２検知部を上記第１検知部と関連付けられていてもよい。
【０１１７】
上記の構成によれば、第１検知部に対応している少なくとも１つの連絡先機器が、第２検知部に対応している連絡先機器である場合、第１検知部が検知した事象および第２検知部が検知した事象を１つの連絡先に同時に通知することができる。
【０１１８】
本発明の態様４に係る電子機器（電話機５ａ）は、上記態様１において、上記通知を行った上記連絡先機器から応答を受信する応答受信部（応答信号受信部５１４）を備えており、上記応答受信部が上記連絡先機器である第１連絡先機器から上記応答を受信しなかった場合、上記通知部（通知音声生成部５１３ａ）は、上記所定の事象を検知した検知部とは異なる他の検知部に対応した連絡先機器のうちの、所定の条件を満たす第２連絡先機器に対して、上記第１連絡先機器に対して行った通知と同じ通知を行ってもよい。
【０１１９】
上記の構成によれば、所定の事象を検知した検知部に対応した連絡先機器から応答がない場合、他の検知部に対応している連絡先機器に通知を行うことができる。そのため、所定の事象に対して至急対応可能な受信者に通知を行える可能性が高くなる。なお、上記第２連絡先機器は、所定の事象を検知した検知部と予め関連付けられている検知部の連絡先機器であってもよい。
【０１２０】
本発明の態様５に係る電子機器は、上記態様４において、上記第２連絡先機器は、上記他の検知部のうち、対応している複数の連絡先機器のいずれかが上記第１連絡先機器である検知部に対応している連絡先機器であってもよい。
【０１２１】
上記の構成によれば、所定の事象を検知した検知部以外の検知部に対応している連絡先に所定の事象が生じたことを通知することができる。そのため、生じた所定の事象に対して、対応可能な受信者に通知を行える可能性が高くなる。
【０１２２】
本発明の態様６に係る電子機器は、上記態様４または５において、上記第２連絡先機器は、上記他の検知部に対応している連絡先機器のうち、上記電子機器の所在地の市外局番または上記第１連絡先機器と同じ市外局番を有する連絡先機器であってもよい。
【０１２３】
上記の構成によれば、電子機器が設置されている市内の連絡先機器に所定の事象が生じたことを通知する。または、所定の事象を検知した検知部に対応している連絡先機器と同じ市外局番を有する連絡先機器に所定の事象が生じたことを通知する。そのため、生じた所定の事象に対して至急対応できる受信者に通知できる可能性が高くなる。
【０１２４】
本発明の態様７に係る電子機器（電話機５ｂ、５ｃ、５ｄ）は、上記態様１において、上記検知信号受信部が複数の検知部のうちの第１検知部から検知信号を受信すると、上記通知部（通知音声生成部５１３ｂ、５１３ｃ）は、上記第１検知部によって検知された所定の事象に関する通知、および、上記第１検知部とは異なる他の検知部のうちの、所定の条件を満たす第２検知部の検知の対象である所定の事象に関する通知を、上記第１検知部に対応している第１連絡先機器に対して行ってもよい。
【０１２５】
上記の構成によれば、検知した所定の事象および所定の事象を検知した検知部とは異なる他の検知部の検知の対象である所定の事象に関する通知を１つの連絡先に通知することができる。そのため、呼出先の通知の受信者は複数の通知から状況を判断することができる。なお、第２検知部とは、複数の検知部間の予め設定されている関連付けにおいて、第１検知部と関連付いている検知部としてもよい。
【０１２６】
本発明の態様８に係る電子機器（電話機５ｂ）は、上記態様７において、上記第２検知部によって検知された所定の事象に関する通知は、上記検知信号受信部が上記第１検知部から検知信号を受信する前に、上記第２検知部によって検知された情報を含んでもよい。
【０１２７】
上記の構成によれば、所定の事象を検知した検知部とは異なる他の検知部が検知した所定の事象の通知がについて応答を受信していない場合において、該他の検知部が検知した所定の事象を再度通知する機会を得ることができる。
【０１２８】
本発明の態様９に係る電子機器（電話機５ｃ、５ｄ）は、上記態様７において、上記第２検知部によって検知された所定の事象に関する通知は、上記検知信号受信部が上記第１検知部から検知信号を受信した後の上記第２検知部の検知状況の情報を含でもよい。
【０１２９】
上記の構成によれば、複数の異なる検知部の検知結果または検知状況を連絡先に通知することができる。そのため、連絡先の受信者は複数の情報から、状況を判断することができる。
【０１３０】
本発明の態様１０に係る電子機器は、上記態様７から９において上記第２検知部は、上記他の検知部のうち、対応している複数の連絡先機器のいずれかが上記第１連絡先機器である検知部であってもよい。
【０１３１】
上記の構成によれば、検知された所定の事象と、所定の事象を検知した検知部と一致した連絡先を有する検知部の検知結果とを１つの連絡先機器に同時に通知することができる。
【０１３２】
本発明の態様１１係る電子機器の制御方法は、所定の事象が発生した旨を外部の機器に通知する電子機器の制御方法であって、上記所定の事象は異なる複数の事象のいずれかであり、上記所定の事象のそれぞれを検知する複数の検知部から検知信号をそれぞれ受信する検知信号受信ステップ（Ｓ１、Ｓ３、Ｓ２０、Ｓ３０、Ｓ４０、Ｓ５０）と、上記検知信号受信ステップにて上記検知信号を受信したとき、上記検知信号の送信元の検知部に対応している連絡先機器と通信を接続する接続ステップ（Ｓ２、Ｓ１２、Ｓ２１、Ｓ３１、Ｓ４１、Ｓ５１）と、上記検知信号受信ステップにて受信した検知信号に基づき、上記検知信号の送信元の検知部によって検知された所定の事象に関する通知を、接続した上記連絡先機器に対して行う通知ステップ（Ｓ５、Ｓ１３、Ｓ２２、Ｓ３４、Ｓ４４、Ｓ５４）とを含む。上記の構成によれば、上記態様１と同様の効果を奏する。
【０１３３】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器の制御プログラム、およびそれを記録したコンピュータ読み取り可能な記録媒体も、本発明の範疇に入る。
【０１３４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３５】
２  人感センサ（検知部）
３  緊急呼出ボタン（検知部）
４  センサＡ（検知部）
５、５ａ〜５ｄ  電話機（電子機器）・
５１１  検知信号受信部
５１２、５１２ａ〜５１２ｃ  接続先決定部（接続部）
５１３、５１３ａ〜５１３ｃ  通知音声生成部（通知部）
５１４  応答信号受信部（応答受信部）
６、６ｂ、６ｃ、６ｄ、６１、６２  電話機（連絡先機器）
【図１】
2019050493.tif 000003
【図２】
2019050493.tif 000004
【図３】
2019050493.tif 000005
【図４】
2019050493.tif 000006
【図５】
2019050493.tif 000007
【図６】
2019050493.tif 000008
【図７】
2019050493.tif 000009
【図８】
2019050493.tif 000010
【図９】
2019050493.tif 000011
【図１０】
2019050493.tif 000012
【図１１】
2019050493.tif 000013
【図１２】
2019050493.tif 000014
【図１３】
2019050493.tif 000015
【図１４】
2019050493.tif 000016
【図１５】
2019050493.tif 000017
【図１６】
2019050493.tif 000018
【図１７】
2019050493.tif 000019
【図１８】
2019050493.tif 000020
【図１９】
2019050493.tif 000021